(57)【要約】【課題】ファイルに綴じた資料を見せ易くすることができ、しかも簡易な構成で且つ持運びが容易なファイルスタンドを提供する。【解決手段】本実施形態のファイルスタンド１は、略Ａ４サイズの大きさの基材部１０と、基材部１０に形成された矩形状の開口部２０と、基材部１０の開口部２０が形成された端縁であって、対向する２つの端縁１１の各々に連なる一対の支持部３０と、Ａ４サイズの２穴のリングファイルに綴じるための２つの穴部４０とを備えている。一対の各支持部３０は、基材部１０の端縁１１に連なる底部３１と、段状に形成された頂部３２と、底部３１に近づくにつれて幅が広くなるようにテーパ状に形成された側部端３３とを備えている。５０はＡ４サイズの２穴のリングファイルであり、５１はリングファイルに綴じられたプレゼンテーション用の資料である。【選択図】図３
2011131480.tif 000002
【特許請求の範囲】
【請求項１】
ファイルを支持するためのファイルスタンドであって、
開口部を有する基材部と、
前記基材部の前記開口部が形成された端縁であって、対向する２つの端縁の各々に連なる一対の支持部と、を具備し、
前記一対の支持部は、前記端縁に連なる端部を底部として前記基材部から起立自在に形成され、且つ倒したときには前記開口部内に収まるように形成されていることを特徴とするファイルスタンド。
【請求項２】
前記基材部は略四角形状に形成されており、前記開口部も略四角形状に形成され、前記各支持部の前記底部は前記開口部の対向する２つの辺である前記基材部の２つの端縁の各々に連なっていることを特徴とする請求項１記載のファイルスタンド。
【請求項３】
前記一対の支持部の上部の一部は、倒して前記開口部内に収めたときに、互いに相手側の支持部に入り込むように形成されていることを特徴とする請求項１又は２記載のファイルスタンド。
【請求項４】
前記基材部と前記支持部とは、一の平板状の素材により一体的に形成され、前記素材は厚紙又はプラスチックであることを特徴とする請求項１、２又は３に記載のファイルスタンド。
【請求項５】
前記基材部の大きさは略Ａ４サイズであり、前記基材部には前記略Ａ４サイズのファイルに綴じるための穴部が形成されていることを特徴とする請求項１乃至４の何れか１項に記載のファイルスタンド。
【発明の詳細な説明】
【技術分野】
【０００１】
本発明は、書類等の資料を綴じたファイルを、綴じた資料が見易いように、テーブル等の上で立てておくことができるファイルスタンドに関するものである。
【背景技術】
【０００２】
従来、例えば数人の相手に対して、プレゼンテーションや講習や研修等（以下、単にプレゼンテーショとも称する。）を行ったりする場合がある。このような少人数を相手にプレゼンテーションを行う場合、学校の授業等で使用される掛け軸やプロジェクタを使用するのは、大げさ過ぎることがある。このような場合、ノートブック型のパーソナルコンピュータを使用して説明することも可能である。しかしながら、ノートブック型のパーソナルコンピュータは持ち運びが容易でなく、また、プレゼンテーションを行う会場によっては、パーソナルコンピュータを使用できない場合も多くある。そこで、このような人数を相手にする場合は、通常、例えばファイルやバインダ等（以下、単にファイルとも称する。）に綴じた書類等の資料（以下、単に資料とも称する。）を使用している。説明者や講師（以下、説明者と称する。）は、ファイルを手で持ったり、テーブルの上に置いたりして、またファイルに綴じられた資料をめくりながら説明を行っている。
【先行技術文献】
【特許文献】
【０００３】
【特許文献１】特開２００２−２５４９３号公報
【発明の概要】
【発明が解決しようとする課題】
【０００４】
しかしながら、プレゼンテーションを行う際に、説明者がファイルを手で持って説明するのは、説明者に余計な負担を負わせることになるという問題がある。また、ファイルをテーブルの上において説明すると、プレゼンテーションを受ける者や研修や講義を受けている者（以下、単に聞き手とも称する。）にとって資料が見にくいという問題がある。このため、数人の相手に対してプレゼンテーションを行う場合、簡易な構造で、持ち運びが容易であり、しかもファイルに綴じた資料を見易くすることができる装置が望まれている。
【０００５】
本発明は上記事情に基づいてなされたものであり、ファイルに綴じた資料を見せ易くすることができ、しかも簡易な構成で且つ持運びが容易なファイルスタンドを提供することを目的とするものである。
【課題を解決するための手段】
【０００６】
上記の目的を達成するための本発明は、ファイルを支持するためのファイルスタンドであって、開口部を有する基材部と、その基材部の開口部が形成された端縁であって、対向する２つの端縁の各々に連なる一対の支持部と、を具備し、一対の支持部は、前記端縁に連なる端部を底部として基材部から起立自在に形成され、且つ倒したときには開口部内に収まるように形成されている。
【０００７】
また、基材部は略四角形状に形成し、開口部も略四角形状に形成して、各支持部の底部を開口部の対向する２つの辺である基材部の２つの端縁の各々に連なるように形成してもよい。
【０００８】
一対の支持部の上部の一部は、倒して開口部内に収めたときに、互いに相手側の支持部に入り込むように形成してもよい。
【０００９】
基材部と支持部とは、一の平板状の素材により一体的に形成され、その素材は厚紙又はプラスチックであってもよい。
【００１０】
基材部の大きさは略Ａ４サイズであり、基材部には略Ａ４サイズのファイルに綴じるための穴部を形成してもよい。
【発明の効果】
【００１１】
本発明では、基材部から支持部を起立させ、テーブルなどの上に、本発明のファイルスタンドを置き、ファイルの表紙を広げて、その表紙の裏側に支持部の内側を係合させることにより、ファイルをテーブルなどの上に立てた状態で支持することができる。したがって、プレゼンテーションなど、ファイルに綴じた資料を使用して説明を行う場合、説明者はファイルを手に持つ必要がなくなるので、説明がし易くなるとともに、聞き手にとっては資料が見易くなる。
【図面の簡単な説明】
【００１２】
【図１】図１は本発明の一実施形態であるファイルスタンドの概略平面図である。
【図２】図２は本発明の一実施形態であるファイルスタンドの支持部を起立させた状態の概略斜視図である。
【図３】図３は本発明の一実施形態であるファイルスタンドにファイルを立てた状態の概略斜視図である。
【図４】図４は本発明の第１の変形例を示す概略平面図である。
【図５】図５は本発明の第２の変形例を示す概略平面図である。
【図６】図６は本発明の第３の変形例を示す概略平面図である。
【発明を実施するための形態】
【００１３】
以下に、図面を参照して、本願に係る発明を実施するための最良の形態について説明する。図１は発明の一実施形態であるファイルスタンドの概略平面図、図２は本発明の一実施形態であるファイルスタンドの支持部を起立させた状態の概略斜視図、図３は本発明の一実施形態であるファイルスタンドにファイルを立てた状態の概略斜視図である。
【００１４】
本実施形態のファイルスタンド１は、図１乃至図３に示すように、略Ａ４サイズの大きさの基材部１０と、基材部１０に形成された矩形状の開口部２０と、基材部１０の開口部２０が形成された端縁であって、対向する２つの端縁（開口部の対向する２つの辺）１１の各々に連なる一対の支持部３０と、Ａ４サイズの２穴のリングファイルに綴じるための２つの穴部４０とを備えている。なお、５０はＡ４サイズの２穴のリングファイル（以下、単に、ファイルとも称する。）であり、５１はリングファイルに綴じられたプレゼンテーション用の資料である。なお、図１の基材部１０上に描かれた実線は切り込み線を示すものであり、一点鎖線は谷折り線を示すものである。このことは、以下に説明する図４乃至図６においても同様である。
【００１５】
本実施形態の基材部１０には、約５mm厚の厚紙を使用している。なお、本発明の基材部１０の素材は、厚紙に限定されるものではなく、ダンボールやプラスチックなど、形状を維持することができるものであれば、どのような素材であってもよい。したがって、例えば、普通紙や普通の布のように腰の弱い素材は、基材部１０の素材としては好ましくない。また、基材部１０の開口部に臨む長桟部１２は、その中央部が開口部２０の側に突き出るように形成されている。このように、長桟部１２の中央部の幅を両端部に比べて広くすることにより、長桟部１２の強度を高めることができる。また、基材部１０の短桟部１３は端縁１１を介して支持部３０に連なっている。
【００１６】
各支持部３０は、基材部１０の対向する２つの端縁１１の一方に連なる端部（底部）３１と、段状に形成された頂部３２と、底部３１に近づくにつれて幅が広くなるようにテーパ状に形成された側部端３３とを備えている。また、一対の支持部３０は、端縁１１に連なる端部を底部３１として基材部１０から起立自在に形成され、且つ倒したときには開口部２０内に収まるように形成されている。また、段状に形成された支持部３０のうち突き出ている上部３５は、支持部３０を倒して開口部２０内に収めたときに、互いに相手側の支持部側に入り込むように形成されている。本実施形態で支持部３０の頂部３２を段状に形成しているのは、支持部３０を起立させたときに、支持部３０の高さを確保して、ファイル５０を安定して支持するためである。このように支持部３０を高くすることにより、例えばファイルの表紙が柔らかくて撓むような材質のものであっても、ファイルの表紙が撓むのを押えて安定してファイルを支持することができる。また、支持部３０の側部端３３の形状を略テーパ状に形成しているのは、ファイルを支持するときの安定性を高めるとともに、見栄えの向上を図るためである。
【００１７】
本ファイルスタンド１の支持部３０の下部は、ファイルをセットしても、図３に示すようにファイルに綴じた用紙に隠れずに、常時、視認することができる。このため、この支持部３０の下部のスペースに広告等を印刷することが可能となり、本発明品をノベルティ商品として用いることもできる。また、本実施形態のファイルスタンド１は、ファイル５０を支持したときに、支持部３０の低い方の頂部は、支持したファイルに綴じられた用紙によって隠れるような高さに形成されている。これにより、本実施形態のファイルスタンド１でファイル５０を支持したときに、視認することができる支持部３０の下部を最大限に広くすることができ、支持部の下部を広告等のためのスペースとして有効に活用することができる。また、支持部３０の低い方の頂部の高さを低くして、ファイルを支持したときに、この頂部が露出するように形成する場合に比べて、ファイルスタンド１にファイル５０を支持したときの見栄えを良くすることができる。なお、本実施形態では、支持部３０の頂部を段状に形成する場合について説明したが、低い方の頂部は省略し、その分、高い方の頂部をより高くしてもよいし、或いは、後述する図４や図５に示すように、開口する部分を形成するようにしてもよい。
【００１８】
本実施形態の開口部２０は、基材部１０の略中央部に形成している。しかしながら、開口部の位置は、基材部１０の略中央部に限定されるものではなく、例えば、二つの穴部４０が形成された長桟部１２の幅が広くなるように、図１の上側にずらして形成するようにしてもよい。これにより、二つの穴部４０を開けたことにより強度が弱くなった図１の下側の長桟部１２の強度を高めることができる。また、図１に示す開口部２０の大きさは、例えば、支持するファイルの大きさがＡ４サイズの場合、図１に示す開口部２０の横幅は少なくとも約１０ｃｍ、支持部３０の高さは約５ｃｍあれば、ファイルを支持することができる。開口部の横幅が約１０ｃｍより小さいと、ファイルを立てたときに、ファイルが約３６０度近く開くことになり、ファイルを安定して支持することができなくなる。また、開口部２０の横幅は２５ｃｍ以上になると、短桟部１３の幅が狭くなり、短桟部１３が切れ易くなる。更に、図１に示す開口部２０の縦幅は、約５ｃｍあれば、ファイルを支持することができる。この開口部の縦幅は大きくなると、長桟部１２の幅が狭くなるので、長桟部１２が切れやすくなる。したがって、本実施形態のファイルスタンドの場合、開口部２０の横幅は約１０〜２５ｃｍ位、縦幅は約５〜１６ｃｍ位であることが望ましい。また、長桟部１２や短桟部１３の幅は、狭くなると、強度が弱くなって、耐用年数が短くなるだけでなく、ファイルを安定して支持することが難しくなるので、これらの幅は約２ｃｍ以上であることが望ましい。本実施形態では、開口部２０の横幅を約２４cmとし、縦幅を約１５cmとしている。開口部２０の横幅を約２４cmとしているのは、本ファイルスタンドにＡ４サイズのファイルを立てた場合、ファイルを支持したときの形状が側面から見て略正三角形状となり、ファイルを安定して支持することができ、且つ見栄えがよくなるからである。また、開口部２０の縦幅を約１５cmとしているのは、次の理由からである。開口部２０の縦幅は大きければ大きいほど、ファイルを安定して支持することができる。一方、この縦幅が大きすぎると、上述したように、長桟部１２の幅が狭くなり、長桟部１２が切れやすくなる。このため、本実施形態では、本ファイルスタンドの長桟部の強度を維持しつつ、ファイルを安定して支持するために、縦幅を約１５cmとしている。
【００１９】
本実施形態のファイルスタンドを作成するには、Ａ４サイズの基材部１０に図１に示す実線の部分に切り込みを入れ、また、２穴のファイルに綴じるための穴部４０を開ける。なお、一点鎖線の部分には、折り曲げを容易にするために、例えば、所々に切り込みを入れるような工夫をしてもよい。
【００２０】
本実施形態のファイルスタンド１でファイル５０を支持するときには、先ず、図２に示すように、支持部３０を裏側から押し出して、起立させる。次に、ファイルスタンド１をテーブル等の上に置き、図３に示すように、ファイルの表紙の内側が外側になるようにファイルを裏返し、側面から見て逆Ｖ字型になるように開き、すなわちファイル５０の表と裏の表紙が約３００度位になるように開き、各表紙の内側を起立させた一対の支持部３０の裏側に接触させ、ファイル５０の背表紙が上になるようにして、ファイル５０を一対の支持部３０の内側に立てる。ファイル５０の二つの表紙は元に戻ろうとして、一対の支持部３０と強く接触するようになり、この結果、ファイル５０を安定して支持することができる。なお、本実施形態のファイルスタンド１で使用するファイルの表紙は、柔らかいタイプのものよりも、硬いタイプのものの方が安定してファイルスタンド１に立てることができる。
【００２１】
本実施形態のファイルスタンド１を用いてプレゼンテーションを行うときには、ファイル５０を支持したファイルスタンド１をテーブル上に置き、ファイルスタンド１に立てたファイル５０の資料を聞き手に見せながら、また、必要に応じて、ファイルに綴じた資料をめくりながら説明を行う。
【００２２】
上記の本実施形態のファイルスタンド１によれば、テーブル等の上に資料を綴じたファイルを立てて置くことができるので、説明者は、ファイルを手に持つ必要がなくなり、従来の方法に比べて、説明者の負担を軽減することができる。また、ファイルはファイルスタンド１に安定して支持されるので、説明者がファイルを手で持って説明したり、テーブル等の上に置いて説明したりする場合に比べて、聞き手はファイルに綴じた資料が見易くなる。
【００２３】
また、上記の本実施形態のファイルスタンド１は、Ａ４サイズの厚紙に切り込みを入れるだけで、製作することができるので、容易且つ安価に製作することができる。また、上記の本実施形態のファイルスタンド１は、Ａ４サイズであり、Ａ４の２穴のファイルに綴じることができるように、穴部４０を形成している。したがって、本ファイルスタンドは、プレゼンテーションに使用する資料と一緒にＡ４のファイルに綴じて、持運ぶことができ、携帯性に優れている。
【００２４】
また、上記の本実施形態のファイルスタンド１は、支持部３０の下部や、基材部１０の長桟部１２や短桟部１３等に広告を掲載することができるので、販促グッズとして使用することができる。
【００２５】
次に、本発明の変形例について説明する。図４は、本発明の第１の変形例を示す概略平面図である。なお、本変形例のファイルスタンドの支持部を起立させた状態の概略斜視図やファイルを立てた状態の概略斜視図は上述した実施形態のものと略同じであるので、省略する。
【００２６】
第１の変形例のファイルスタンド１ａが上述した実施形態のファイルスタンド１と異なるのは、支持部３０ａの形状である。その他の部分は、上述した実施形態のものと同じであるので、図４において、図１乃至図３に示すものと同一の機能を有するものには、同一の符号又は対応する符号を付することにより、その詳細な説明を省略する。第１の変形例の支持部３０ａは、両側部端３３ａ，３３ａがテーパ状ではなく、平行になるように、すなわち側部端３３ａが底部端３１１ａに対して垂直となるように形成され、また角部は丸みを持たせてアール状に形成されている。また、本変形例の各支持部３０ａは、その上部３５ａが渦をまくように形成され、上部３５ａがファイルスタンドの中心部に近づくように形成されている。これにより、本変形例では、ファイルを支持したときの安定性の向上を図ることができる。更に、支持部３０ａの上部３５ａには、円形開口部３７を形成している。また、第一の変形例では、両側部端３３ａ，３３ａが平行になるように形成されているので、基材部１０の長桟部１２ａの幅は略一定となっている。なお、図４では、図を見易くするために、開口している開口部分３６ａに斜線を施している。
【００２７】
第１の変形例のファイルスタンド１ａは、支持部３０ａの角に丸みを付けて開口部分３６ａを形成したことにより、支持部３０ａを起立させるときに、この開口部分３６ａに指をかけて起立させることができ、支持部３０ａを容易に起立させることができる。また、円形開口部３７を形成したことにより、この円形開口部３７に指を入れて支持部３０ａを容易に起立させることもできる。本変形例のその他の作用・効果は、上記の実施形態と同様である。
【００２８】
図５は本発明の第２の変形例を示す概略平面図である。なお、本変形例のファイルスタンドの支持部を起立させた状態の概略斜視図やファイルを立てた状態の概略斜視図も上述した実施形態のものと略同じであるので、省略する。
【００２９】
第２の変形例のファイルスタンド１ｂが上述した実施形態のものと異なるのは、支持部３０ｂの形状である。その他の部分は、上述した実施形態のものと同じであるので、図５において、図１乃至図３に示すものと同一の機能を有するものには、同一の符号又は対応する符号を付することにより、その詳細な説明を省略する。第２の変形例の支持部３０ｂは、開口部２０の中央線で２分割したような形状に形成され、互いの上部３５ｂは対向する相手側の支持部に入り込ませていない。また、本変形例では、図５において斜線で示す、開口部分３６ｂを広く確保している。更に、第２の変形例の支持部３０ｂは、両側部端３３ｂ，３３ｂがテーパ状ではなく平行になるように、すなわち側部端３３ｂが底部端３１１ｂに対して垂直となるように形成され、したがって、基材部１０の長桟部１２ｂの幅は一定となるように形成されている。
【００３０】
第２の変形例のファイルスタンド１ｂは、開口部分３６ｂを広くしたことにより、支持部３０ｂを起立させるときに、ファイルスタンド１ｂの表側からこの開口部分３６ｂに手を入れて、簡単に支持部３０ｂを起立させることができる。なお、本変形例の支持部３０ｂの高さは、開口部２０を２等分した高さにしたが、支持部３０ｂの高さを、更に低くしてもよい。支持部の高さは略５cm以上あれば、ファイルを支持することができるからである。本変形例のその他の作用・効果は、上記の実施形態と同様である。
【００３１】
図６は本発明の第３の変形例を示す概略平面図である。なお、本変形例のファイルスタンドの支持部を起立させた状態の概略斜視図やファイルを立てた状態の概略斜視図も上述した実施形態のものと略同じであるので、省略する。
【００３２】
第３の変形例のファイルスタンド１ｃが上述した実施形態のものと異なるのは、支持部３０ｃの形状である。その他の部分は、上述した実施形態のものと同じであるので、図6において、図１乃至図３に示すものと同一の機能を有するものには、同一の符号又は対応する符号を付することにより、その詳細な説明を省略する。本変形例が上記の実施形態と異なる点は、上記の実施形態では、支持部３０を起立させたときに、図１の基材部１０の長手方向において、一対の支持部３０が対峙するように形成する場合（すなわち、支持部３０を図１の左右方向において起立させる場合）について説明したが、第３の変形例では、支持部３０ｃを起立させたときに、一対の支持部３０ｃが基材部１０の長手方向に直交する方向において対峙するように（すなわち、支持部３０ｃを図６の上下方向において起立させるように）形成している点、及び、上記の実施形態では支持部の側部端をテーパ状に形成したが、本変形例では、支持部の側部端をテーパ状とせずに側部端３３ｃが平行となるように、すなわち側部端３３ｃを底部端３３１ｃに対して垂直となるように形成している点である。なお、第３の変形例の支持部３０ｃは、両側部３３ｃがテーパ状ではなく平行になるように形成されているので、本変形例の短桟部１３ｃの中央部は、開口部の側に突き出ることなく、短桟部１３ｃの幅は略一定に形成されている。
【００３３】
第３の変形例のファイルスタンド１ｃは、支持部の底部端３３１ｃが基材部の長手方向と平行となるように、支持部を形成したことにより、上記の実施形態のものに比べて、支持部の幅を広くすることができるので、ファイルを支持したときに支持部の底部に加わる圧力を低減することができ、したがって支持部の長寿命化を図ることができる。また、本変形例のファイルスタンド１ｃは、上記の実施形態に比べて、支持部の下部を広くすることができるので、広告のために使用するスペースをより広く確保することができる。本変形例のその他の作用・効果は、上記の実施形態と同様である。
【００３４】
尚、本発明は上記の実施形態に限定されるものではなく、その要旨の範囲内において種々の変形が可能である。
【００３５】
例えば、上記の実施形態では、基材部が略長方形である場合について説明したが、基材部はこれに限定されるものではなく、基材部の形状は正方形状であってもよいし、円形状や、半円形状、楕円形状等、どのような形状であってもよい。
【００３６】
また、上記の実施形態では、支持部が略台形状である場合について説明したが、支持部の形状はこれに限定されるものではなく、支持部の形状は、矩形状であってもよいし、三角形状、半円形状、半楕円状、或いは植物や動物の形状などであってもよい。
【００３７】
また、上記の実施形態では、一対の支持部の形状が合同な図形となるように形成しているが、一対の支持部は形状が異なるように形成してもよい。
【００３８】
また、上記の実施形態では、２穴のファイルを支持する場合について説明したが、支持するファイルは、３穴や４穴や２６穴等のファイルであってもよい。この場合、支持部の穴部は、支持するファイルに対応するように形成する。また、上記の実施形態では、基材部１０に穴部４０を形成する場合について説明したが、基材部の穴部は省略してもよい。
【００３９】
更に、上記の実施形態では、基材部がＡ４サイズである場合について説明したが、基材部はＢ５サイズやＢ４サイズ等であってもよい。また、上記の実施形態では、基材部１０と支持部３０とは一枚の厚紙を用いて一体的に形成される場合について説明したが、基材部と支持部とは同一の素材或いは異なる素材により、別個に作成し、接着剤や接着テープ等の接合手段を用いて両者を接合するようにしてもよい。
【００４０】
また、上記の実施形態では、基材部と支持部の素材が厚紙である場合について説明したが、基材部と支持部の素材は、厚紙のように一定の形状を維持できるものであれば、どのようなものであってもよい。例えば、基材部等の素材は、硬質プラスチック、軟質プラスチック、段ボール等であってもよい。
【００４１】
また、上記の図１に示す実施形態では、支持部を倒したときに、開口する部分ができないように支持部を形成しているが、図１に示す実施形態でも、例えば支持部に図４に示す円形開口部３７と同様の円形開口部を形成するようにしてもよいし、或いは、図４に示す開口部分３６ａと同じような開口部分を形成するようにしてもよい。また、図５に示す第２の変形例においても、図４に示す円形開口部３７と同様の円形開口部を形成するようにしてもよい。また、図５に示す第２の変形例では開口部分３６ｂを形成する場合について説明したが、第２の変形例は、図１に示すものと同様に、開口部分３６ｂを形成しないようにしてもよい。更に、図６に示す第３の変形例については、上述した実施形態のように、支持部の側部端がテーパ状となるように形成してもよいし、また、第１の変形例のように、円形開口部や開口部分を形成するようにしてもよい。
【産業上の利用可能性】
【００４２】
以上説明したように、本発明では、テーブルなどの上に、本発明のファイルスタンドを置き、そのファイルスタンドにファイルを載せることにより、テーブルなどの上にファイルを立てた状態にしておくことができる。したがって、本発明は、プレゼンテーションなど、ファイルに綴じた資料を使用して説明を行う場合に、そのファイルをテーブルの上に立てて置くのに好適である。
【符号の説明】
【００４３】
１０  基材部
１１  端縁
１２，１２ａ，１２ｂ，１２ｃ  長桟部
１３，１３ａ，１３ｂ，１３ｃ  短桟部
２０  開口部
３０，３０ａ，３０ｂ，３０ｃ  支持部
３１，３１ａ，３１ｂ，３１ｃ  底部
３１１ａ，３１１ｂ，３１１ｃ  底部端
３２，３２ａ，３２ｂ，３２ｃ  頂部
３３，３３ａ，３３ｂ，３３ｃ  側部端
３５，３５ａ，３５ｂ，３５ｃ  支持部の上部
３６ａ，３６ｂ  開口部分
３７  円形開口部
４０  穴部
５０  ファイル
５１  資料
【図１】
2011131480.tif 000003
【図２】
2011131480.tif 000004
【図３】
2011131480.tif 000005
【図４】
2011131480.tif 000006
【図５】
2011131480.tif 000007
【図６】
2011131480.tif 000008